(57)【特許請求の範囲】
【請求項１】
照明手段によりコンタクトガラス上の原稿を照射し、画像を読み取る画像読取装置において、
原稿を照射する照明手段および前記照明手段から反射された反射光を読み取る読取手段を収納する金属製の第１の筐体と、
前記第１の筐体の外部に設置され、前記照明手段を点灯する電源を収納する金属製の第２の筐体と、
前記第１の筐体に設けられ、前記コンタクトガラス上に搬送される原稿を読取る際には前記照明手段を前記第１の筐体の副走査方向の一方の壁面側に固定し、前記コンタクトガラス上に載置された原稿を読取る際には、前記照明手段を前記コンタクトガラスの下方で副走査方向に走行させる走行手段と、
前記第１の筐体の副走査方向の他方の壁面に設けられ、前記第１の筐体に外気を導入する吸気孔および吸気ファンからなる第１通気手段と、
前記第１の筐体の副走査方向と直交する一方の壁面に設けられて前記第１の筐体および前記第２の筐体を連通する通気孔および前記第１通気手段によって前記第１の筐体に導入されて前記照明手段に向かって導かれる空気の一部を前記第２の筐体に導入する通気ファンを有する第２通気手段と、
前記第１の筐体の副走査方向と直交する一方の壁面に設けられて前記第１の筐体および第２の筐体を連通する通気孔および通気ファンからなり、前記第２の筐体に導入された空気を前記電源の周囲を通して前記第１の筐体に導入する第３通気手段と、
前記第１の筐体の副走査方向と直交する他方の壁面に設けられ、前記第１の筐体に導入された空気を外部に排出する排気口および排気ファンからなる第４通気手段とを備えたことを特徴とする画像読取装置。
【請求項２】
前記照明手段は、対向する１対の光源を備えることを特徴とする請求項１に記載の画像読取装置。
【請求項３】
前記第２通気手段および前記第３通気手段を構成する前記通気孔は、前記副走査方向と略平行に設けられることを特徴とする請求項１または請求項２に記載の画像読取装置。
【請求項４】
前記第２の筐体に収納される前記電源は、前記１対の光源に対して設けられる１対の電源からなり、
前記電源は、前記第２通気手段および前記第３通気手段の間で、かつ、空気の流通方向に略一列に配置されることを特徴とする請求項２または請求項３に記載の画像読取装置。
【請求項５】
前記１対の電源の出力端子同士を向かい合わせにして、前記第２の筐体に設置したことを特徴とする請求項４に記載の画像読取装置。
【請求項６】
前記一対の電源のそれぞれの出力端子から前記電源に対応する光源の入力側に電線を介装し、前記電線の長さを同じにしたことを特徴とする請求項４または請求項５に記載の画像読取装置。
【請求項７】
記録媒体に画像を形成する画像形成手段を備えるとともに、請求項１〜請求項６の何れか１項に記載の画像読取装置を備えたことを特徴とする画像形成装置。
【発明の詳細な説明】
【技術分野】
【０００１】
本発明は、画像読取装置および画像形成装置に関し、特に、照明手段の設置場所に対して光源を外部に設置したときに光源を効率良く冷却することができるようにしたスキャナ装置等の画像読取装置およびこの画像読取装置を備えたファクシミリ装置、複写機、複合機等の画像形成装置に関する。
【背景技術】
【０００２】
一般に、スキャナ装置等の画像読取装置は光源としてキセノンランプ等の蛍光灯を用いており、この光源から原稿を照射し、原稿からの反射光をＣＣＤラインセンサ等の撮像素子で読み取るようにしている。
【０００３】
また、ちらつきを発生させずに光源を安定的に点灯させるために、インバータが用いられており、光源に多くの光量を発生させるには、大電流を使用するため、特にインバータのトランスが高熱となる。
このため、必要に応じてトランスを冷却し、定格温度以上になるのを防止する必要がある。従来のこの種の電源の冷却方法としては、様々な方法がある。例えば、画像読取装置内部に電源を設置する場合には、画像読取装置の筐体に直接インバータを設置して自然放熱させる方法や照明手段を搭載するキャリッジ上に電源を搭載して読取動作時の移動を利用して空冷する方法がある。
【０００４】
また、画像読取装置の外部に電源を設置する場合には、画像読取装置の筐体に直接光源を設置、あるいは画像読取装置の筐体に設けたステー上に光源を設置して、自然放熱させる方法や、光源の近傍に冷却ファンを設置して冷却する方法等がある（これらの冷却に関するものとしては、例えば、特許文献１参照）。
【特許文献１】特開２００２−２０３４２６号公報
【発明の開示】
【発明が解決しようとする課題】
【０００５】
しかしながら、画像読取装置内部に電源を設置する場合には、大電流を使用してインバータのトランスが高熱となると、画像読取装置内部が高温になり、電源の周囲の電子機器が高温になってしまうため、電源や電子機器を冷却するために大型の冷却ファン等を設置する必要がある。このため、筐体内に大型の冷却ファンを設置するためのスペースが必要になってしまう。
【０００６】
また、画像形成装置内に冷却ファンを設置した場合には、画像形成装置内の空気が画像装置内で還流されるだけであるため、電源を速やかに冷却することができない。
また、画像読取装置の外部に電源を設置する場合には、画像形成装置内が高温になるのを抑制することができるが、電源から発生するノイズが画像形成装置の周囲の外部電子機器に放出されて外部電子機器の誤作動を発生させるおそれがある。
【０００７】
本発明は、従来の問題を解決するためになされたもので、画像読取装置の周囲の電子機器に電源から発生するノイズの影響を与えるのを防止しつつ、電源を効率良く冷却することができる画像読取装置および画像形成装置を提供するものである。
【課題を解決するための手段】
【００１１】
また、本発明の画像読取装置は、照明手段によりコンタクトガラス上の原稿を照射し、画像を読み取る画像読取装置において、原稿を照射する照明手段および前記照明手段から反射された反射光を読み取る読取手段を収納する金属製の第１の筐体と、前記第１の筐体の外部に設置され、前記照明手段を点灯する電源を収納する金属製の第２の筐体と、前記第１の筐体に設けられ、前記コンタクトガラス上に搬送される原稿を読取る際には前記照明手段を前記第１の筐体の副走査方向の一方の壁面側に固定し、前記コンタクトガラス上に載置された原稿を読取る際には、前記照明手段を前記コンタクトガラスの下方で副走査方向に走行させる走行手段と、前記第１の筐体の副走査方向の他方の壁面に設けられ、前記第１の筐体に外気を導入する吸気孔および吸気ファンからなる第１通気手段と、前記第１の筐体の副走査方向と直交する一方の壁面に設けられて前記第１の筐体および前記第２の筐体を連通する通気孔および前記第１通気手段によって前記第１の筐体に導入されて前記照明手段に向かって導かれる空気の一部を前記第２の筐体に導入する通気ファンを有する第２通気手段と、前記第１の筐体の副走査方向と直交する一方の壁面に設けられて前記第１の筐体および第２の筐体を連通する通気孔および通気ファンからなり、前記第２の筐体に導入された空気を前記電源の周囲を通して前記第１の筐体に導入する第３通気手段と、前記第１の筐体の副走査方向と直交する他方の壁面に設けられ、前記第１の筐体に導入された空気を外部に排出する排気口および排気ファンからなる第４通気手段とを備えたものから構成されている。
【００１２】
この構成により、電気的ノイズを発生する電源を第２の筐体に密閉して収納するので、電源から発生するノイズを第２の筐体によって遮断することができ、外部電子機器に悪影響を与えるのを防止することができる。
【００１３】
また、第１の筐体から取り入れた冷たい外気を第２の筐体に流通させて電源の周囲を通した後、第１の筐体に流通させ、第１の筐体から外部に排気するようにしたので、冷気によって密閉された第２の筐体の電源を常に冷たい外気で冷却することができ、電源を効率良く冷却して電源が劣化すること等を防止することができる。
【００１４】
また、本発明の画像読取装置の前記照明手段は、対向する１対の光源を備えたものから構成されている。
この構成により、１灯光源に比べて光量を増加した照明手段を得ることができるので、光量の少ない光源に比べて原稿を読み取るときの速度を速くすることができるとともに、読取画像の画質を高くすることができる。
【００１５】
また、本発明の画像読取装置の前記第２通気手段および前記第３通気手段を構成する前記通気孔は、前記副走査方向と略平行に設けられるものから構成されている。
【００１６】
この構成により、２個の通気孔および２個の通気ファンによって第２の筐体内に発生する空気の流通方向を、走行手段の走行方向と略平行にしたので、第２の筐体を小型化することができる。
【００１７】
また２個の通気孔および２個の通気ファンによって第２の筐体内に発生する空気の流通方向を、走行手段の走行方向と略平行にすれば、第１の筐体に設けられた第１通気手段の近傍に第２通気手段を配置することができるので、第１の筐体から第２の筐体に導入される空気が自然な流れとなる。
これに加えて、第１の筐体に設けられた第４通気手段の近傍に第３通気手段を配置することができるので、第２の筐体から第１の筐体に導入される空気が自然な流れとなる。この結果、電源の冷却効率を向上させることができる。
【００１８】
また、本発明の画像読取装置の前記第２の筐体に収納される前記電源は、前記１対の光源に対して設けられる１対の電源からなり、前記電源は、前記第２通気手段および前記第３通気手段の間で、かつ、空気の流通方向に略一列に配置されるものから構成されている。
【００１９】
この構成により、一対の電源を空気の流通方向に略一列に配置したので、第２の筐体を小型化することができる。また、第２の筐体内の通気経路を略直線状にすることができるので、自然で無駄の無い送風を行うことができ、電源の冷却効率を向上させることができる。
【００２０】
また、本発明の画像読取装置は、前記１対の電源の出力端子同士を向かい合わせにして、前記第２の筐体に設置したものから構成されている。
この構成により、２個の電源の出力端子同士を近接させることができるので、２個の出力端子に電線を取付けるときに同一スペースで作業を行うことができ、電源を照明手段に接続するとき等の組立性を向上させることができる。
【００２１】
また、本発明の画像読取装置は、前記一対の電源のそれぞれの出力端子から前記電源に対応する光源の入力側に電線を介装し、前記電線の長さを同じにしたものから構成されている。
【００２２】
この構成により、２個の電源の出力端子同士を近接させ、電線の長さを同じにしたので、共通の電線を使用することができ、安価な電線を使用して（換言すれば、異なる種類の電線を使用しないようにして）電源のコストを低減することができる。
【００２３】
また、本発明の画像形成装置は、記録媒体に画像を形成する画像形成手段を備えるとともに、上述した画像読取装置を備えたものから構成されている。
この構成により、画像読取装置の周囲の電子機器に電源から発生するノイズの影響を与えるのを防止しつつ、電源を効率良く冷却することができる画像形成装置を提供することができる。
【発明の効果】
【００２４】
本発明は、画像読取装置の周囲の電子機器に電源から発生するノイズの影響を与えるのを防止しつつ、電源を効率良く冷却することができる画像読取装置および画像形成装置を提供することができる。
【発明を実施するための最良の形態】
【００２５】
以下、本発明の実施の形態について、図面を用いて説明する。
図１〜図５は本発明に係る画像読取装置および画像形成装置の一実施の形態を示す図である。
まず、構成を説明する。図１において、画像形成装置としての複写機１０は、自動原稿搬送装置（以下、単にＡＤＦという）１１、給紙部１２、画像読取部（画像読取装置）１３および画像形成部（画像形成手段）１４を備えている。
【００２６】
ＡＤＦ１１は、原稿トレイ１６に載置された原稿を給紙ローラや分離ローラ等の各種ローラからなる分離給紙手段１７によってコンタクトガラス１５上に搬送し、読取りが終了した原稿を搬送ベルト１８によってコンタクトガラス１５上から搬出した後、各種排紙ローラからなる排紙手段１９によって排紙トレイ２０に排紙する。
【００２７】
また、原稿の両面を読取る場合には、排紙手段１９に設けられた分岐機構および搬送ベルト１９によって原稿をコンタクトガラス１５上に返送して未読取面の読取りを行うようになっている。
【００２８】
給紙部１２は、異なるサイズの記録紙を収納する給紙カセット２１ａ、２１ｂと、給紙カセット２１ａ、２１ｂに収納された記録紙を画像形成位置まで搬送する各種ローラからなる給紙手段２２とを備えている。
【００２９】
また、画像読取部１３は、第１走行体（走行手段）３１、第２走行体３２および読取ユニット３３を備えており、コンタクトガラス１５上に搬送される原稿を読取る際には、第１走行体３１および第２走行体３２をコンタクトガラス１５側の左下方に固定し、コンタクトカガラス１５上に載置された原稿を読取る際には、第１走行体３１および第２走行体３２をコンタクトガラス１５の下方で図１中、左右方向に移動させるようになっている。
【００３０】
画像形成部１４は、読取ユニット３３に取り込まれた読取信号に基づいて書き込み信号を形成する露光装置２３と、露光装置２３によって生成された書き込み信号が表面に形成される複数の感光体ドラム２４と、異なる色のトナーが充填され、各感光体ドラム２４に異なる色のトナーを供給して書き込み信号を可視像化させる現像装置２５と、感光体ドラム２４上に形成された可視像が重ねられて転写されることによりカラー画像が形成され、このカラー画像を給紙部１２から給紙された記録紙に転写する転写ベルト２６と、記録紙に定着されたカラー画像を記録紙に定着する定着装置２７とを備えている。
【００３１】
また、第１走行体３１の内部には照明手段として一対のキセノンランプ３４ａ、３４ｂからなる光源（図２参照）および第１ミラー３５が装着されている。キセノンランプ３４ａ、３４ｂは対向して設けられており、コンタクトガラス１５を通過する原稿またはコンタクトガラス１５に載置された原稿を照射するようになっている。第１ミラー３５は図１中、手前側と奥側の両端部が第１走行体３１に支持されており、原稿面から反射された光が入射するようになっている。
【００３２】
また、第２走行体３２には第２ミラー３６および第３ミラー３７が装着されており、この第２ミラー３６および第３ミラー３７は図１中、手前側と奥側の両端部が第２走行体３２に支持され、第１ミラー３５から反射された光を第２ミラー３６、第３ミラー３７の順に反射するようになっている。
【００３３】
また、読取ユニット３３には、レンズ３８と、走査方向に複数の素子面が配列されたＣＣＤラインセンサ等の撮像素子３９とが装着されており、第３ミラー３７から反射された光はレンズ３８によって集光された後、撮像素子３９に結像されて原稿面の画像データに応じたアナログ画像信号に変換されるようになっている。
【００３４】
本実施の形態では、第１ミラー３５、第２ミラー３６、第３ミラー３７および読取ユニット３３が画像読取手段を構成している。
【００３５】
また、第１走行体３１および第２走行体３２には図示しない公知の駆動機構のワイヤが取付けられているとともに、画像読取部１３の本体フレームの一部を構成する走行レールに摺動自在に取付けられており、ワイヤは画像読取部１３の図１中、左右に延在している。
【００３６】
コンタクトガラス１５上に載置された原稿の読取りを行う場合には、複写機１０の図示しないホストコンピュ−タから送られてくる１ライン毎の画像読取要求の信号に応じて、駆動機構を駆動することにより、ワイヤを図１中、左右方向に移動させることにより、第１走行体３１および第２走行体３２がそれぞれ２：１の速度で原稿面に沿って移動しながら光源３４からコンタクトガラス１５上の原稿面に光を照射させるようになっている。
【００３７】
このため、原稿面が副走査方向に光学的に走査され、この反射光は第１ミラー３５、第２ミラー３６、第３ミラー３７の順に反射された後、レンズ３８を通して撮像素子３９の素子面に結像されることにより、原稿面が読取られる。
【００３８】
また、第１走行体３１、第２走行体３２および読取ユニット３３は画像読取装置１３の金属製の筐体（第１の筐体）４１に収納されており、この筐体４１は複写機１０の本体に内蔵され、この筐体４１の上方にコンタクトガラス１５が位置している。
【００３９】
一方、図２、図３に示すように、筐体４１の外部（図１の手前側、すなわち、オペレータの立ち位置側）には第２の筐体としての金属製のカバー４２が設けられており、このカバー４２にはそれぞれのキセノンランプ３４ａ、３４ｂを照明するための一対のインバータ（電源）５７、５８が密閉されて収納されている。
【００４０】
具体的には、筐体４１の側壁４１ａにはカバー４２と共に第２の筐体を構成する金属製のステー４６が突出しており、このステー４６上にネジ４７によってインバータ５７、５８が取付けられている。このインバータ５７、５８を囲むようにして、ネジ４９によってカバー４２を側壁４１ａに取付けることにより、カバー４２およびステー４６と側壁４１ａによってインバータ５７、５８が密閉される。なお、カバー４２は複写機１０の本体内に位置している。
【００４１】
また、インバータ５７、５８はトランス５７ａ、５８ａを載置する放熱板５７ｂ、５８ｂがネジ４７によってステー４６上に固定されており、図５に示すように出力端子５７ｃ、５８ｃ同士が対向している。
【００４２】
この出力端子５７ｃ、５８ｃには給電ハーネス（電線）５９、６０の一端部が接続されており、この給電ハーネス５９、６０は側壁４１ａの略中央部に開口する中央開口部５６を通して筐体４１内に挿通されるようになっている。
【００４３】
この給電ハーネス５９、６０は同一長さの共通品からなり、他端部に設けられたコネクタ６１、６２がキセノンランプ３４ａ、３４ｂに接続されるようになっている。このため、インバータ５７、５８からキセノンランプ３４ａ、３４ｂに電力が供給される。
【００４４】
一方、筐体４１の右側には外気を取り入れるための吸気孔４４が開口しており、この吸気孔４４の内方の筐体４１内には吸気ファン４５が設けられている。なお、吸気孔４４および吸気ファン４５は第１通気手段を構成している。
【００４５】
また、筐体４１の側壁４１ａには図４に示すように通気孔５０、５１が開口しており、この通気孔５０、５１は第１走行体３２の走行方向、すなわち、キセノンランプ３４ａ、３４ｂの走行方向と略平行に設けられ、筐体４１内とカバー４２内とを連通している。
【００４６】
また、ステー４６上には通気ファン５２、５３が設けられており、通気ファン５２は通気孔５０を介して筐体４１内からカバー４２内に空気を導入し、通気ファン５３は通気孔５１を介してカバー４２内から筐体４１内に空気を導入するようになっている。
【００４７】
本実施の形態では、通気孔５０および通気ファン５２が第２通気手段を構成しており、通気孔５１および通気ファン５３が第３通気手段を構成している。
また、インバータ５７、５８は通気孔５０と通気孔５１の間で、空気の流通方向に略一列に配置されており、通気孔５０からカバー４２内に導入された空気はインバータ５７、５８の周囲を流通して通気孔５１から筐体４１内に導入されるようになっている。
【００４８】
また、側壁４１ａと反対側の筐体４１の側壁４１ｂには排気孔５４が開口しており、この排気孔５４の近傍の筐体４１内には排気ファン５５が設けられている。排気ファン５５はカバー４２内から筐体４１内に導入された高温の空気を排気孔５４を通して筐体４１の外部に排気するようになっている。本実施の形態では、排気孔５４および排気ファン５５が第４通気手段を構成している。
【００４９】
次に、インバータ５７、５８の冷却方法を説明する。
まず、符号Ａで示す冷たい外気は吸気ファン４５によって符号Ｂで示すように開口部４４から筐体４１の内部に導入される。この符号Ｂで示す空気の一部は符号Ｃで示すように通気ファン５２によって通気孔５０からカバー４２内に導入される。
【００５０】
カバー４２内に導入された空気は符号Ｄで示すように通気ファン５３によって吸引され、インバータ５７、５８の周囲を流通してインバータ５７、５８のトランス５７ａ、５８ａ、放熱板５７ｂ、５８ｂを冷却した後、符号Ｅで示すように通気孔５１から筐体４１内に導入される。
この筐体４１内に導入された空気は排気ファン５５によって符号Ｆで示す空気と共に、矢印Ｇで示すように排気孔５４から外部に排気される。
【００５１】
このように本実施の形態では、キセノンランプ３４ａ、３４ｂを収納する金属製の筐体４１と別体の金属製のカバー４２内にノイズを発生するインバータ５７、５８を密閉して収納したので、インバータ５７、５８から発生するノイズをカバー４２によって遮断することができ、外部電子機器に悪影響を与えるのを防止することができる。
【００５２】
また、外部から筐体４１に取り入れた冷たい外気をカバー４２内に流通させてインバータ５７、５８の周囲を通した後、筐体４１内に流通させ、筐体４１内から外部に排気するようにしたので、冷気によって密閉されたカバー４２内のインバータ５７、５８を常に冷たい外気で冷却することができ、インバータ５７、５８を効率良く冷却してインバータ５７、５８が劣化すること等を防止することができる。
【００５３】
また、本実施の形態では、対向する１対のキセノンランプ３４ａ、３４ｂから光源を構成したので、１灯光源に比べて光量を増加した照明手段を得ることができる。このため、光量の少ない光源に比べて原稿を読み取るときの速度を速くすることができるとともに、読取画像の画質を高くすることができる。
【００５４】
また、本実施の形態では、側壁４１ａに筐体４１内とカバー４２内とを連通する通気孔５０、５１を形成し、通気孔５０、５１および通気ファン５２、５３によって発生するカバー４２内部の空気の流通方向は第１走行体３１の走行方向と略平行になるようにしたので、通気孔５０、５１を形成したので、カバー４２を小型化することができる。
【００５５】
これに対して、通気孔５０、５１を第１走行体３１によってキセノンランプ３４ａ、３４ｂを走行させる方向と略垂直に設けた場合には、カバー４２の厚さ方向（図２の上下方向）に通気孔５０、５１を開口する必要があるので、通気孔５０、５１を形成するための厚さが必要になってカバー４２が大型化してしまうので好ましくない。
【００５６】
また、本実施の形態のように通気孔５０、５１を第１走行体３１によってキセノンランプ３４ａ、３４ｂを走行させる方向と略平行に設ければ、筐体４１に設けられた吸気孔４４の近傍に通気孔５０を配置することができるので、筐体４１内からカバー４２内に導入される空気が自然な流れとなる。
これに加えて、筐体４１に設けられた排気孔５４の近傍に通気孔５１を配置することができるので、カバー４２内から筐体４１内に導入される空気が自然な流れとなる。この結果、インバータ５７、５８の冷却効率を向上させることができる。
【００５７】
また、本実施の形態では、カバー４２内に収納されるインバータ５７、５８から対応するキセノンランプ３４ａ、３４ｂに電源を供給し、このインバータ５７、５８を通気孔５０、５１の間に設け、かつ、空気の流通方向に略一列に配置したので、カバー４２を小型化することができる。また、カバー４２内の通気経路を略直線状にすることができるので、自然で無駄の無い送風を行うことができ、インバータ５７、５８の冷却効率を向上させることができる。
【００５８】
また、本実施の形態では、インバータ５７、５８に設けられたトランス５７ａ、５８ａの出力端子５７ｃ、５８ｃ同士を向かい合わせにしてカバー４２に設置したので、２個のインバータ５７、５８の出力端子５７ｃ、５８ｃ同士を近接させることができる。このため、２個の出力端子５７ｃ、５８ｃに給電ハーネス５９、６０を取付けるときに同一スペースで作業を行うことができ、インバータ５７、５８をキセノンランプ３４ａ、３４ｂに接続するとき等の組立性を向上させることができる。
【００５９】
また、本実施の形態では、一対のインバータ５７、５８のそれぞれの出力端子５７ｃ、５８ｃからそれぞれのインバータ５７、５８に対応するキセノンランプ３４ａ、３４ｂの入力側に給電ハーネス５９、６０を介装し、この給電ハーネス５９、６０の長さを同じにしたので、共通の給電ハーネス５９、６０を使用することができる。
【００６０】
このため、安価な給電ハーネス５９、６０を使用して（換言すれば、異なる種類の給電ハーネス５９、６０を使用しないようにして）インバータ５７、５８のコストを低減することができる。
【００６１】
なお、本実施の形態では、２個の電源を設けたが、１個でも良い。また、２個のキセノンランプ３４ａ、３４ｂを設けたが、電源が１個の場合にはキセノンランプは１個でも良い。また、照明手段はキセノンランプではなく、ハロゲンランプ等でも良い。
【産業上の利用可能性】
【００６２】
以上のように、本発明に係る画像読取装置および画像形成装置は、画像読取装置の周囲の電子機器に電源から発生するノイズの影響を与えるのを防止しつつ、電源を効率良く冷却することができるという効果を有し、照明手段の設置場所に対して光源を外部に設置したときに光源を効率良く冷却することができるようにしたスキャナ装置等の画像読取装置およびこの画像読取装置を備えたファクシミリ装置、複写機、複合機等の画像形成装置等として有用である。
【図面の簡単な説明】
【００６３】
【図１】本発明の一実施の形態に係る画像読取装置を備えた複写機の概略構成図
【図２】本発明の一実施の形態に係る画像読取装置の上面図
【図３】本発明の一実施の形態に係る画像読取装置の斜視図
【図４】本発明の一実施の形態に係る画像読取装置の側面図
【図５】本発明の一実施の形態に係る給電ハーネスの組み付け状態を示す図
【符号の説明】
【００６４】
１０  複写機（画像形成装置）
１３  画像読取部（画像読取装置）
１４  画像形成部（画像形成手段）
３１  第１走行体（走行手段）
３３  読取ユニット（画像読取手段）
３４ａ、３４ｂ  キセノンランプ（光源、照明手段）
３５  第１ミラー（画像読取手段）
３６  第２ミラー（画像読取手段）
３７  第３ミラー（画像読取手段）
４１  筐体（第１の筐体）
４２  カバー（第２の筐体）
４４  吸気孔（第１通気手段）
４５  吸気ファン（第１通気手段）
４６  ステー（第２の筐体）
５０  通気孔（第２通気手段）
５１  通気孔（第３通気手段）
５２  通気ファン（第２通気手段）
５３  通気ファン（第３通気手段）
５４  排気孔（第４通気手段）
５５  排気ファン（第４通気手段）
５７、５８  インバータ（電源）
５７ｃ、５８ｃ  出力端子
５９、６０  給電ハーネス（電線）
【図１】
0004680090.tif 000002
【図２】
0004680090.tif 000003
【図３】
0004680090.tif 000004
【図４】
0004680090.tif 000005
【図５】
0004680090.tif 000006